(57)【要約】【課題】良好な操作性を有しながら、記録後の画像ファイルの検索が容易なデジタルカメラを提供することを目的とする。【解決手段】デジタルカメラ１Ａは、記録媒体であるメモリカード５の記憶領域に作成された記録フォルダに撮影画像に係る画像データを画像ファイルとして記録する。デジタルカメラ１Ａでは、ひとつの記録フォルダに記録可能な画像ファイル数に上限画像ファイル数が設定される。１回の撮影を行うモードでは、カレント記録フォルダ内の画像ファイル数が上限画像ファイル数を超えると、カレント記録フォルダが別の記録フォルダへ変更される。関連付けられた複数回の撮影を行うモードでは、複数回の撮影の最初の撮影に係る画像データの記録から最後の撮影に係る画像データの記録まで、カレント記録フォルダが一定に維持される。【選択図】図４
2005204156.tif 000002
【特許請求の範囲】
【請求項１】
撮影画像を記録媒体に記録するデジタルカメラであって、
操作者の撮影指示を検出する検出手段と、
前記撮影指示の検出に応答して撮影を行い、撮影画像に係る画像データを生成する撮影手段と、
記録可能な画像ファイル数の上限が設定された記録区画を前記記録媒体の記憶領域内に作成する作成手段と、
現時点における記録先の記録区画であるカレント記録区画に前記画像データを画像ファイルとして記録する記録手段と、
を備え、
前記デジタルカメラは、
他の撮影に関連付けられていない１回の撮影である単独撮影を行う第１撮影モードと、
関連付けられた複数回の撮影である相互関連撮影を行う第２撮影モードと、
を含む２つ以上のモードを有しており、
前記記録手段は、
前記単独撮影においては、カレント記録区画に記録された画像ファイル数が前記上限に達した場合に、前記作成手段が新たに作成した記録区画へカレント記録区画を変更し、
前記相互関連撮影においては、前記上限に関わらず、前記相互関連撮影の最初の撮影に係る画像ファイルの記録から最後の撮影に係る画像ファイルの記録まで、一つの記録区画をカレント記録区画として一定に維持することを特徴とするデジタルカメラ。
【請求項２】
請求項１に記載のデジタルカメラにおいて、
前記相互関連撮影におけるカレント記録区画が、前記相互関連撮影の直前の撮影におけるカレント記録区画であることを特徴とするデジタルカメラ。
【請求項３】
請求項１に記載のデジタルカメラにおいて、
前記相互関連撮影におけるカレント記録区画が、前記作成手段が新たに作成した記録区画であることを特徴とするデジタルカメラ。
【請求項４】
請求項１ないし請求項３のいずれかに記載のデジタルカメラにおいて、
前記相互関連撮影が、前記撮影指示の検出に応答して行われる複数回の撮影からなる連続撮影であることを特徴とするデジタルカメラ。
【請求項５】
請求項１ないし請求項３のいずれかに記載のデジタルカメラにおいて、
前記相互関連撮影が、画像合成用の複数の画像の撮影であることを特徴とするデジタルカメラ。
【請求項６】
請求項１ないし請求項３のいずれかに記載のデジタルカメラにおいて、
前記相互関連撮影が、ブラケット撮影であることを特徴とするデジタルカメラ。
【請求項７】
請求項１ないし請求項６のいずれかに記載のデジタルカメラにおいて、
前記作成手段が、記録区画の作成順序に基づいて生成される連番を各記録区画の識別名に含めることを特徴とするデジタルカメラ。
【請求項８】
請求項１ないし請求項７のいずれかに記載のデジタルカメラにおいて、
前記モードが前記第１撮影モードへ変更された時点で、前記カレント記録区画に記録された画像ファイル数が前記上限に達している場合に、前記カレント記録区画を変更することを特徴とするデジタルカメラ。
【発明の詳細な説明】
【技術分野】
【０００１】
本発明はデジタルカメラに関する。
【背景技術】
【０００２】
近年の電子技術の進歩により、デジタルカメラに使用される記録媒体の全記憶容量が増加しており、デジタルカメラでは極めて多数の画像ファイルを記録媒体に記録可能になっている。このため、画像ファイルを無分類で記録媒体に記録すると、記録後に所望の画像ファイルを検索する場合に、極めて多数の画像ファイルの中から所望の画像ファイルを探し出すという煩雑な作業が必要になる。
【０００３】
そこで、記録後の画像ファイルの検索を容易にするために、画像ファイルを複数のフォルダに分類して記録することが行われている。例えば、特許文献１には、画像ファイルを記録するフォルダを指定可能とすることによって、記録後の画像ファイルの検索を容易にするデジタルカメラが開示されている。
【０００４】
【特許文献１】特開２００１−１６９２２２号公報
【発明の開示】
【発明が解決しようとする課題】
【０００５】
しかし、特許文献１のデジタルカメラでは、フォルダ内の画像ファイル数に、画像ファイルのファイル名の命名規則によって規定される「９９９９」という上限がある。このため、連続撮影等の関連付けられた撮影の途中でフォルダ内の画像ファイル数が「９９９９」に達した場合、撮影が中断されてしまうという問題がある。あるいは、撮影中断を回避するために、関連付けされた撮影の開始に先だって、フォルダに記録可能な画像ファイル数の残りに余裕があるかどうかを事前確認し、余裕がない場合は手動操作でフォルダの切り替えを行う必要がある。このような切り替え作業は、操作性を損なうのはもちろんのこと、シャッタチャンスを逃す原因ともなっていた。本発明はこの問題を解決するためになされたもので、良好な操作性を有しながら、記録後の画像ファイルの検索が容易なデジタルカメラを提供することを目的とする。
【課題を解決するための手段】
【０００６】
上記課題を解決するため、請求項１の発明は、撮影画像を記録媒体に記録するデジタルカメラであって、操作者の撮影指示を検出する検出手段と、前記撮影指示の検出に応答して撮影を行い、撮影画像に係る画像データを生成する撮影手段と、記録可能な画像ファイル数の上限が設定された記録区画を前記記録媒体の記憶領域内に作成する作成手段と、現時点における記録先の記録区画であるカレント記録区画に前記画像データを画像ファイルとして記録する記録手段とを備え、前記デジタルカメラは、他の撮影に関連付けられていない１回の撮影である単独撮影を行う第１撮影モードと、関連付けられた複数回の撮影である相互関連撮影を行う第２撮影モードとを含む２つ以上のモードを有しており、前記記録手段は、前記単独撮影においては、カレント記録区画に記録された画像ファイル数が前記上限に達した場合に、前記作成手段が新たに作成した記録区画へカレント記録区画を変更し、前記相互関連撮影においては、前記上限に関わらず、前記相互関連撮影の最初の撮影に係る画像ファイルの記録から最後の撮影に係る画像ファイルの記録まで、一つの記録区画をカレント記録区画として一定に維持することを特徴とする。
【０００７】
請求項２の発明は、請求項１に記載のデジタルカメラにおいて、前記相互関連撮影におけるカレント記録区画が、前記相互関連撮影の直前の撮影におけるカレント記録区画であることを特徴とする。
【０００８】
請求項３の発明は、請求項１に記載のデジタルカメラにおいて、前記相互関連撮影におけるカレント記録区画が、前記作成手段が新たに作成した記録区画であることを特徴とする。
【０００９】
請求項４の発明は、請求項１ないし請求項３のいずれかに記載のデジタルカメラにおいて、前記相互関連撮影が、前記撮影指示の検出に応答して行われる複数回の撮影からなる連続撮影であることを特徴とする。
【００１０】
また、請求項５の発明は、請求項１ないし請求項３のいずれかに記載のデジタルカメラにおいて、前記相互関連撮影が、画像合成用の複数の画像の撮影であることを特徴とする。
【００１１】
請求項６の発明は、請求項１ないし請求項３のいずれかに記載のデジタルカメラにおいて、前記相互関連撮影が、ブラケット撮影であることを特徴とする。
【００１２】
また、請求項７の発明は、請求項１ないし請求項６のいずれかに記載のデジタルカメラにおいて、前記作成手段が、記録区画の作成順序に基づいて生成される連番を各記録区画の識別名に含めることを特徴とする。
【００１３】
請求項８の発明は、請求項１ないし請求項７のいずれかに記載のデジタルカメラにおいて、前記モードが前記第１撮影モードへ変更された時点で、前記カレント記録区画に記録された画像ファイル数が前記上限に達している場合に、前記カレント記録区画を変更することを特徴とする。
【発明の効果】
【００１４】
請求項１ないし請求項８の発明によれば、相互関連撮影の最初の撮影に係る画像ファイルから最後の撮影に係る画像ファイルまでがひとつの記録区画に記録されるので、画像ファイルの検索が容易になる。また、撮影時の操作性が損なわれることがない。
【００１５】
請求項４の発明によれば、連続撮影時に係る画像ファイルの検索が容易になる。
【００１６】
請求項５の発明によれば、画像合成用の画像に係る画像ファイルの検索が容易になる。
【００１７】
請求項６の発明によれば、ブラケット撮影に係る画像ファイルの検索が容易になる。
【００１８】
請求項７の発明によれば、記録区画に記録されている画像ファイルの撮影時期を記録区画の識別名から見当をつけることが可能となるので、画像ファイルの検索が容易になる。
【発明を実施するための最良の形態】
【００１９】
＜＜第１実施形態＞＞
第１実施形態のデジタルカメラ１Ａは、記録媒体であるメモリカード５の記憶領域に作成された記録フォルダに撮影画像に係る画像データを画像ファイルとして記録する。デジタルカメラ１Ａでは、ひとつの記録フォルダに記録可能な画像ファイル数に上限（以下では「上限画像ファイル数」とも称する）が設定される。
【００２０】
１回の撮影を行う「１コマ撮影モード」の「単独撮影モード」では、画像ファイルの記録先の記録フォルダ（以下では「カレント記録フォルダ」とも称する）内の画像ファイル数が上限画像ファイル数を超えると、カレント記録フォルダが別の記録フォルダへ変更される。
【００２１】
一方、関連付けられた複数回の撮影を行う、
(a1)「１コマ撮影モード」の「ブラケット撮影モード」および「多重合成撮影モード」と、
(a2)「連続撮影モード」と、
では、複数回の撮影の最初の撮影に係る画像データの記録から最後の撮影に係る画像データの記録まで、カレント記録フォルダが一定に維持される。
【００２２】
このデジタルカメラ１Ａの構成および動作を以下で説明する。
【００２３】
＜構成＞
＜構成概略＞
図１および図２は、デジタルカメラ１Ａの外観構成を示す図である。図１は正面側から見た斜視図であり、図２は背面側から見た斜視図である。
【００２４】
デジタルカメラ１Ａの正面には、撮影レンズ２と光学ファインダ３と内蔵フラッシュ４とが設けられる。デジタルカメラ１Ａは、撮影レンズ２を介して取得した被写体像を画像データへ変換し、当該画像データを画像ファイルとしてメモリカード５へ記録する。
【００２５】
デジタルカメラ１Ａの上面には、電源ボタン６とシャッタボタン７とマイク８とが設けられる。電源ボタン６は、電源ＯＮ状態と電源ＯＦＦ状態とを切り替えるために使用される。
【００２６】
操作者の撮影指示を検出するシャッタボタン７は、半押し状態（以下では「Ｓ１状態」とも称する）と全押し状態（以下では「Ｓ２状態」とも称する）とを区別して検出可能な２段階押し込みスイッチである。デジタルカメラ１Ａは、シャッタボタン７がＳ１状態となったことを検出すると撮影準備動作を開始し、シャッタボタン７がＳ２状態となったことを検出すると本撮影動作を開始する。この本撮影動作時に、デジタルカメラ１Ａは撮影画像に係る画像データを生成し、当該画像データを画像ファイルとしてメモリカード５に記録する。また、デジタルカメラ１Ａは、マイク８を用いて音声を電気信号へ変換し、メモリカード５へ音声ファイルとして記録する。
【００２７】
デジタルカメラ１Ａの背面の略中央には、液晶モニタ９が設けられる。液晶モニタ９は、撮影待機状態におけるライブビュー表示や、メモリカード５に記録された記録画像の再生表示や、メニュー画面の表示に用いられる。
【００２８】
液晶モニタ９の右上方には、モード切り替えボタン１０が設けられる。デジタルカメラ１Ａは、「１コマ撮影モード」，「連続撮影モード」，「動画撮影モード」および「再生モード」の４種類の動作モードを有する。モード切り替えボタン１０はデジタルカメラ１Ａの動作モードを、これらの間で切り替えるために用いられる。具体的には、モード切り替えボタン１０が押下されるごとに、動作モードがこれらの中から順次かつ循環的に選択される。
【００２９】
液晶モニタ９の下方および右方には、それぞれ、ボタン群１１および１２が設けられる。ボタン群１１は、メニューボタン１１ａと液晶モニタボタン１１ｂとフラッシュモードボタン１１ｃとを有する。ボタン群１２は、左キー１２Ｌ、右キー１２Ｒ、上キー１２Ｕおよび下キー１２Ｄ（以下ではこれらを総称して「十字カーソルキー」とも称する）と、実行キー１２Ｅとを有する。
【００３０】
メニューボタン１１ａは、メニュー画面を液晶モニタ９に呼び出すために用いられる。すなわち、各動作モードの初期画面が液晶モニタ９に表示されている状態でメニューボタン１１ａが押下されると、液晶モニタ９には各動作モードのメニュー画面が表示される。さらに、各動作モードのメニュー画面が液晶モニタ９に表示されている状態でメニューボタン１１ａが押下されると、液晶モニタ９の表示は各動作モードの初期画面に戻る。このメニュー画面における表示カーソルは、十字カーソルキー１２Ｌ，１２Ｒ，１２Ｕおよび１２Ｄを用いて左右上下の４方向に移動可能である。さらに、表示カーソルで所望の選択肢が選択された状態で実行キー１２Ｅが押下されると、デジタルカメラ１Ａでは当該選択肢に対応する設定動作等が実行される。
【００３１】
液晶モニタボタン１１ｂは、液晶モニタ９に表示が行われている状態（表示状態）と行われていない状態（非表示状態）とを切り替えるために用いられる。具体的には、液晶モニタボタン１１ｂが押下されるごとに、液晶モニタ９の状態が表示状態と非表示状態との間で交互に切り替わる。
【００３２】
フラッシュモードボタン１１ｃは、内蔵フラッシュ４のフラッシュモードを変更するために用いられる。すなわち、フラッシュモードボタン１１ｃが押下されるごとに、「自動発光」，「強制発光」および「発光禁止」の間で順次かつ循環的にフラッシュモードが変更される。
【００３３】
デジタルカメラ１Ａの一の側面には、ＤＣ入力端子１３と、アクセスＬＥＤ１４と、デジタルカメラ１Ａの筐体ＢＤ内に設けられた電池室およびデジタルカメラ１Ａに対して着脱可能なメモリカード５を取り付けるメモリカードスロットの装填口を覆う蓋１５とが設けられる。デジタルカメラ１Ａは、ＤＣ入力端子１３に接続されたＡＣアダプタ、または電池室に装着された電源電池ＢＴのいずれかから動作電力の供給を受ける。アクセスＬＥＤ１４は、メモリカード５へのアクセス中に点灯する。
【００３４】
デジタルカメラ１Ａの他の側面には、ＵＳＢ端子１６とＡＶ出力端子１７とが設けられる。ＵＳＢ端子１６は、デジタルカメラ１Ａとパーソナルコンピュータ等とのデータ通信に用いられる。具体的には、ＵＳＢ端子１６とパーソナルコンピュータ等のＵＳＢ端子とをＵＳＢ規格のケーブルで接続することにより、デジタルカメラ１Ａとパーソナルコンピュータ等とのデータ通信が可能になる。
【００３５】
ＡＶ出力端子１７は、デジタルカメラ１Ａとテレビ等の外部映像音響機器（ＡＶ機器）とを接続するために用いられる。具体的には、ＡＶ出力端子１７とＡＶ機器の入力端子とを所定のケーブルで接続することにより、デジタルカメラ１ＡからＡＶ機器に画像および音声を出力可能となる。
【００３６】
＜内部構成＞
図３は、デジタルカメラ１Ａの内部機能を示すブロック図である。
【００３７】
撮影レンズ２によってＣＣＤ（Charge Coupled Device）３１の受光面に結像させられた被写体像は、ＣＣＤ３１によってＲ（赤），Ｇ（緑），Ｂ（青）の色成分を有する画像信号に光電変換される。この画像信号は、ＣＣＤ３１を構成する受光画素（受光素子）の受光量を反映した画素信号の信号列から構成される。ＣＣＤ３１の受光面には、横２５６０画素×縦１９２０画素の受光画素がマトリクス状に配列されている。また、ＣＣＤ３１の各受光画素は、ベイヤー配列されたＲ，Ｇ，Ｂのいずれかの色のカラーフィルタでマスクされており、各受光画素から読み出される画素信号の色成分は、当該受光画素をマスクしているカラーフィルタの色に対応させられている。ＣＣＤ３１は、全受光画素から画素信号を読み出す全画素読み出しと、画素信号の読み出し対象の受光画素を減少させる間引き読み出しとが可能である。ＣＣＤ３１では、「１コマ撮影モード」および「連続撮影モード」の本撮影時には全画素読み出しが行われるが、ライブビュー表示時および「動画撮影モード」の本撮影時には間引き読み出しが行われる。すなわち、ＣＣＤ３１は、「１コマ撮影モード」および「連続撮影モード」の本撮影時には高解像度撮像を行うが、ライブビュー表示時および「動画撮影モード」の本撮影時には低解像度撮像を行う。
【００３８】
シャッタスピード（以下では「ＳＳ」とも称する）に相当するＣＣＤ３１の露光時間（電荷蓄積時間）と、ＣＣＤ３１に入射する光量を変化させる絞り３０の絞り径とは、露出制御部４６によって制御される。
【００３９】
アナログ信号処理部３２は、ＣＣＤ３１から入力されたアナログの画像信号に所定のアナログ信号処理を行う。アナログ信号処理部３２は、相関二重サンプリング（ＣＤＳ；Correlated Double Sampling）回路および自動利得制御（ＡＧＣ；Automatic Gain Control）回路を備える。ＣＤＳ回路は画像信号のノイズ低減処理を行い、ＡＧＣ回路は画像信号のレベル調整を行う。ＡＧＣ回路におけるゲインも露出制御部４６によって制御可能となっている。これらの処理が施されたアナログの画像信号は、アナログ信号処理部３２からＡ／Ｄ変換器３３へ出力される。
【００４０】
Ａ／Ｄ変換器３３は、アナログの画像信号を構成する画素信号を１２ビットのデジタル信号に変換して画像メモリ４１ａへ出力する。
【００４１】
全体制御部４０は、ＲＡＭ４１およびＲＯＭ４２を備えるマイクロコンピュータである。全体制御部４０は、ＲＯＭ４２に格納された制御プログラム４２ａを実行することにより、デジタルカメラ１Ａの各構成を統括制御する。マイクロコンピュータのワークメモリであるＲＡＭ４１の記憶領域の一部は、撮影画像に係る画像データを一時的に記憶する画像メモリ４１ａとして用いられる。画像メモリ４１ａは、少なくとも数フレーム分の画像データの記憶容量を有する。なお、画像メモリ４１ａがＲＡＭ４１から独立して設けられてもよい。ＲＯＭ４２は、フラッシュメモリのような電気的にデータを書き換え可能な不揮発性の半導体メモリであり、その記憶領域の一部には設定情報４２ｂが格納される。設定情報４２ｂには後述する各種情報が含まれる。
【００４２】
図３の全体制御部４０には、全体制御部４０が制御プログラム４２ａを実行することにより実現される機能が、画像処理部４３、圧縮／伸張部４４、ファイル管理部４５および露出制御部４６として模式的に表現されている。これらの機能は全体制御部４０から独立したハードウエアによって実現されてもよい。例えば、画像処理部４３の機能を専用のＤＳＰ（Digital Signal Processor）チップによって実現してもよく、圧縮／伸張部４４の機能を専用のエンコーダ／デコーダチップによって実現してもよい。
【００４３】
画像処理部４３は、シェーディング補正、ホワイトバランス補正、画素補間、色補正、γ補正、ＲＧＢ表色系からＹＣｒＣｂ表色系への色空間変換、エッジ強調、ノイズクリップおよびリサイズ等の画像処理を、画像メモリ４１ａから入力された画像データに対して施す。画像処理部４３におけるリサイズ処理は、横２５６０画素×縦１９２０画素の画像データを、横２５６０画素×縦１９２０画素、横１６００画素×縦１２００画素、横１２８０画素×縦９６０画素および横６４０画素×縦４８０画素のいずれかの画像サイズの画像データに変換する。さらに、画像処理部４３は、横３２０画素×縦２４０画素のサムネイル画像データを生成する。後述する圧縮率が一定ならば、横２５６０画素×縦１９２０画素、横１６００画素×縦１２００画素、横１２８０画素×縦９６０画素および横６４０画素×縦４８０画素の順にファイルサイズは小さくなる。
【００４４】
圧縮／伸張部４４は、画像処理部４３における画像処理後の画像データをＪＰＥＧ方式で圧縮する。この圧縮処理における圧縮率は、ファイン（圧縮率が相対的に小）、スタンダード（圧縮率が相対的に中）およびエコノミー（圧縮率が相対的に大）の間で可変である。記録画像の画質は圧縮率に依存しているので、圧縮率を変化させることにより記録画像の画質を変化させることができる。また、圧縮／伸張部４４は、メモリカード５から読み出された画像データの伸張処理を実行可能である。画像サイズが一定ならば、ファイン、スタンダードおよびエコノミーの順にファイルサイズは小さくなるが画質は劣化する。
【００４５】
ファイル管理部４５は、メモリカードインターフェース３４を介して、メモリカード５の記憶領域内のファイルを管理する。より具体的には、ファイル管理部４５は、記憶領域に対するデータ操作、すなわち、記憶領域内のファイル操作（記憶領域へのファイルの書き込み［記録］、記憶領域からのファイルの読み出し、記憶領域内のファイルの削除および移動等）、記憶領域内のフォルダ操作（記録区画となるフォルダ［ディレクトリ］の作成、消去および移動等）および記憶領域のフォーマットを行う。さらに、ファイル管理部４５は、メモリカードスロットへのメモリカード５の着脱を検出可能となっている。
【００４６】
露出制御部４６は、シャッタスピード、絞り値およびゲインを制御して、適正露出を実現する自動露出制御を行う。
【００４７】
ＲＯＭ４２には、画像サイズおよび圧縮率と画像ファイルのファイルサイズとの関係を記述したファイルサイズテーブル４２ｃが格納されている。このファイルサイズテーブル４２ｃを参照することにより、画像サイズおよび圧縮率からファイルサイズを特定可能である。
【００４８】
なお、全体制御部４０は、画像処理部４３、圧縮／伸張部４４およびファイル管理部４５の順序で画像データを順次処理してゆくが、全体制御部４０においては並列処理が可能となっているので、１コマの画像データの処理が完了しなくても、次のコマの処理に着手可能である。例えば、ファイル管理部４５がメモリカード５への画像データの記録を行いつつ、画像処理部４３で別の画像データの画像処理を実行可能である。
【００４９】
内蔵フラッシュ４は、全体制御部４０から与えられる制御信号に基づいて発光する。
【００５０】
ＤＣ入力端子１３に接続されたＡＣアダプタまたは電池室に装着された電源電池ＢＴのいずれかを電力供給源として利用する電源部３５は、全体制御部４０を始めとするデジタルカメラ１Ａの各構成に動作電力を供給する。
【００５１】
操作部３６は、先述した電源ボタン６、シャッタボタン７、モード切り替えボタン１０、ボタン群１１およびボタン群１２を包含している。全体制御部４０は、操作部３６の状態を検出して、その検出結果をデジタルカメラ１Ａの動作状態に反映させる。
【００５２】
液晶モニタ９は、全体制御部４０から入力された画像データを視認可能に表示する。
【００５３】
＜ファイル構成およびフォルダ構成＞
図４は、メモリカード５のファイル構成およびフォルダ構成の一例を概念的に示す図である。図４のフォルダツリーＴ１に示すように、ファイル構成およびフォルダ構成はＤＣＦ（Design rule for Camera File system）に従っており、撮影画像フォルダ「DCIM」とプリント指定フォルダ「MISC」とがルートフォルダの下の階層に作成される。
【００５４】
以下では、撮影画像フォルダ「DCIM」およびプリント指定フォルダ「MISC」について説明する。
【００５５】
○撮影画像フォルダ；
撮影画像フォルダ「DCIM」の下の階層には、画像データの記録先となる記録フォルダが作成される。図４においては、２個の記録フォルダ「100MLT09」および「100MLT10」が作成されている場合が示されているが、記録フォルダはデジタルカメラ１Ａの動作中に随時作成されるので、記録フォルダの数が３個以上または１個となる場合もありうる。また、記録フォルダには、複数の記録フォルダを識別するためのユニークなフォルダ名（図４では「100MLT09」および「100MLT10」）が与えられる。フォルダ名には、当該フォルダが作成された時間的順序を反映した連番が含まれる。具体的には、記録フォルダのフォルダ名は、全記録フォルダに共通の文字列「100MLT」と、当該文字列に続く連番（図４では「09」および「10」）とから構成されている。連番は、「01」から始まり、記録フォルダ作成ごとにひとつずつ増加する。
【００５６】
ファイル管理部４５は、画像データの記録時には、現時点における記録先となるカレント記録フォルダを記録フォルダの中から特定し、当該カレント記録フォルダに対して画像データを画像ファイルとして記録する。上述のように、記録フォルダのフォルダ名には作成された時間的順序を反映した連番が含まれているので、フォルダ名を参照することにより、特定の記録フォルダ内の画像ファイルの撮影時期の見当をつけることが可能である。これにより、所望の画像ファイルが記録されているフォルダを特定することが容易になるので、画像ファイルの検索が容易になる。
【００５７】
先述したように、デジタルカメラ１Ａでは、各記録フォルダに記録可能な画像ファイル数に上限画像ファイル数Ｎｍａｘ（図４ではＮｍａｘ＝２４）が設定される。これにより、「１コマ撮影モード」の「単独撮影モード」で撮影を行っている場合は、ひとつの記録フォルダ内の画像ファイル数が上限画像ファイル数Ｎｍａｘ以下となるので、画像ファイルの検索が容易になる。この上限画像ファイル数Ｎｍａｘはデジタルカメラ１Ａの操作者によって設定可能となっている。上限画像ファイル数Ｎｍａｘの設定可能範囲は制限されないが、デジタルカメラ１Ａにおいては、銀塩カメラで使用される３５ｍｍフイルムの一般的な撮影枚数を操作者に連想させる２４および３６から当該上限画像ファイル数Ｎｍａｘを選択可能となっている。これにより、銀塩カメラの取り扱いに習熟している操作者に画像ファイル数をフイルム本数換算で直感的に認識させることが可能となる。
【００５８】
ファイル管理部４５は、記録フォルダに記録する画像ファイルに対して、記録の時間的順序を反映した連番を含むファイル名（「Pict0001.jpg」，「Pict0002.jpg」，・・・）を付与する。具体的には、画像ファイルのファイル名は、全画像ファイルに共通の文字列「Pict」と、当該文字列に続く連番（「0001」，「0002」，・・・；以下では「コマ番号」とも称する）と、当該連番に続くピリオドおよび３文字の拡張子（「.jpg」）とから構成されている。連番は、「0001」から始まり、画像ファイル記録ごとにひとつずつ増加する。
【００５９】
フォルダツリーＴ１には、各記録フォルダごとに連番（「0001」〜「0024」または「0001」〜「0036」）が付与される例が示されている。すなわち、カレント記録フォルダが変更されると、連番がリセットされて、新たに「0001」から採番が始まる例が示されている。
【００６０】
○プリント指定フォルダ；
デジタルカメラ１Ａは、ＤＰＯＦ（Digital Print Order Format）に対応している。所定の操作で操作者が画像ファイルをプリント指定すると、当該プリント指定に関する情報がプリント指定フォルダ「MISC」内のプリント指定ファイル「AUTPRINT.MAK」に記述される。操作者は、当該メモリカード５をＤＰＯＦ対応のプリント店（プリントラボ）に持ち込んでプリント依頼をすることにより、あるいは、当該メモリカード５をＤＰＯＦ対応のプリンタのメモリカードスロットに取り付けることにより、プリント指定した画像ファイルに係る画像のプリント出力を得ることができる。
【００６１】
＜画像ファイル＞
図５は、画像ファイルのデータ構造を示す図である。
【００６２】
Ｅｘｉｆ（Exchangeable Image File Format）形式の画像ファイル２００は、ファイル属性情報２０１、タグ情報２０２、高解像度の画像データ２０３およびサムネイル画像データ２０４を含む。
【００６３】
ファイル属性情報２０１には、画像ファイル２００の属性の情報が記述される。具体的には、読み取り専用属性Ｒ、アーカイブ属性Ａ、システムファイル属性Ｓおよび隠しファイル属性Ｈが適宜記述される。タグ情報２０２には、画像ファイルのファイル名、撮影日時、撮影に使用したデジタルカメラのＩＤおよび関連する音声ファイルのファイル名が記述される。ＩＤは、デジタルカメラの個体ごとに与えられたユニークな識別番号であり、製品番号および製造番号の情報を含む。関連する音声ファイルは存在する場合のみ記述される。
【００６４】
画像データ２０３は、本撮影によって生成された、横２５６０画素×縦１９２０画素、横１６００画素×縦１２００画素、横１２８０画素×縦９６０画素および横６４０画素×縦４８０画素のいずれかの画像サイズの画像データである。一方、サムネイル画像データは、横３２０画素×縦２４０画素のサムネイル画像データである。
【００６５】
＜動作＞
＜基本動作＞
デジタルカメラ１Ａの基本動作について説明する。
【００６６】
撮影待機状態では、ＣＣＤ３１において１／３０秒間隔で低解像度撮像が行われ、撮像画像が液晶モニタ９にライブビューとして表示される。
【００６７】
デジタルカメラ１Ａは、シャッタボタン７がＳ１状態となったことを検出すると、自動合焦制御（ＡＦ；Auto Focus）、自動露出制御（ＡＥ；Automatic Exposure）および自動ホワイトバランス調整（ＡＷＢ;Automatic White Balance）等の撮影準備動作を実行する。続いて、デジタルカメラ１Ａは、シャッタボタン７がＳ２状態となったことを検出すると、撮影を行い撮影画像に係る画像データを画像ファイルとしてメモリカード５に記録する本撮影動作を開始する。
【００６８】
＜動作状態の遷移の概略＞
図６は、デジタルカメラ１Ａの動作状態の遷移の概略を示す状態遷移図である。
【００６９】
電源ＯＦＦ状態において電源ボタン６の押下が検出されると、デジタルカメラ１Ａは状態ＳＴ１０１へ移行する。状態ＳＴ１０１では、ＲＯＭ４２に設定情報４２ｂとして記憶されている起動時の動作モードが判別され、デジタルカメラ１Ａが当該動作モードに設定される。しかる後に、デジタルカメラ１Ａは状態ＳＴ１０２へ移行する。なお、デジタルカメラ１Ａが常に特定の動作モード（例えば「１コマ撮影モード」）で起動するようにしてもよい。
【００７０】
状態ＳＴ１０２では、動作モードは、「１コマ撮影モード」，「連続撮影モード」，「動画撮影モード」および「再生モード」の４種類のうちのいずれかに設定されている。動作モードは、モード切り替えボタン１０が押下されるごとに、これらの４種類の中から順次かつ循環的に選択される。従来のデジタルカメラと同様に、「１コマ撮影モード」，「連続撮影モード」および「動画撮影モード」の撮影待機状態においては、液晶モニタ９にライブビュー表示が行われる。また、「再生モード」においては、画像ファイルがメモリカード５から読み出されて、当該画像ファイルに係る画像が液晶モニタ９に再生表示される。
【００７１】
状態ＳＴ１０２においてメニューボタン１１ａが押下されると、デジタルカメラ１Ａは状態ＳＴ１０３へ移行する。状態ＳＴ１０３は、デジタルカメラ１Ａの動作モードに応じたメニュー設定を受け付ける動作状態である。状態ＳＴ１０３において、メニューボタン１１ａの押下等によりメニュー設定の受け付けが終了すると、デジタルカメラ１Ａは再び状態ＳＴ１０２へ戻る。また、状態ＳＴ１０２において電源ボタン６の押下が検出されると、デジタルカメラ１Ａは状態ＳＴ１０４へ移行する。状態ＳＴ１０４において現在の動作モードが設定情報４２ｂとしてＲＯＭ４２に記憶されると、デジタルカメラ１Ａは電源ＯＮ状態から電源ＯＦＦ状態へと移行する。なお、状態ＳＴ１０４においてＲＯＭ４２に記憶された動作モードは、次回起動時の動作モードとなる。
【００７２】
＜１コマ撮影モード＞
「１コマ撮影モード」は、
(b1)他の撮影に関連付けられていない１回の撮影である単独撮影を行う「単独撮影モード」と、
(b2)相互関連撮影であるブラケット撮影を行う「ブラケット撮影モード」と、
(b3)相互関連撮影である多重合成撮影を行う「多重合成撮影モード」と、
を有している。これらのうち、(b1)「単独撮影モード」が「１コマ撮影モード」のデフォルトのモードであり、(b2)「ブラケット撮影モード」と、(b3)「多重合成撮影モード」とは、後述する撮影メニューから設定可能となるモードである。
【００７３】
図７は、デフォルトのモードである「単独撮影モード」に設定されている場合の「１コマ撮影モード」におけるデジタルカメラ１Ａの動作状態の遷移の詳細を示す状態遷移図である。
【００７４】
電源投入や動作モードの切り替え等によって動作モードが「１コマ撮影モード」に設定されると、デジタルカメラ１Ａは状態ＳＴ２０１へ移行する。設定初期化を行う状態ＳＴ２０１では、設定情報４２ｂが参照されて現在の設定が確認される。しかる後に、デジタルカメラ１Ａは状態ＳＴ２０２へ移行する。この状態ＳＴ２０１における設定初期化の具体的内容は後述する。
【００７５】
状態ＳＴ２０２は、「１コマ撮影モード」の撮影待機状態であり、液晶モニタ９にはライブビューが表示される。状態ＳＴ２０２においてメニューボタン１１ａが押下されると、デジタルカメラ１Ａは状態ＳＴ２０３へ移行して、液晶モニタ９には撮影メニューが表示される。状態ＳＴ２０３においてメニューボタン１１ａの押下等により撮影メニューが終了すると、デジタルカメラ１Ａは「１コマ撮影モード」に再設定される。また、状態ＳＴ２０２においてモード切り替えボタン１０が押下されると、デジタルカメラ１Ａは「連続撮影モード」に設定される。さらに、状態ＳＴ２０２においてシャッタボタン７がＳ１状態となったことが検出されると、デジタルカメラ１Ａは状態ＳＴ２０４へ移行する。
【００７６】
状態ＳＴ２０４では、ＡＦ，ＡＥおよびＡＷＢ等の撮影準備動作が実行される。これらの処理が完了すると、デジタルカメラ１Ａは、状態ＳＴ２０５へ移行して本撮影動作への移行の待機状態となる。
【００７７】
状態ＳＴ２０５においてシャッタボタン７がＳ２状態となったことが検出されると、デジタルカメラ１Ａは、状態ＳＴ２０６へ移行して本撮影動作が実行される。すなわち、ＣＣＤ３１において露光が行われて１コマの画像データが生成されるとともに、当該画像データが、画像メモリ４１ａに一時的に格納された後に、画像処理部４３および圧縮／伸張部４４へ順次与えられて画像処理および圧縮処理が行われる。
【００７８】
状態ＳＴ２０６の遷移先の状態ＳＴ２０７では、処理済の画像データを画像ファイルとしてメモリカード５へ記録する記録処理が実行される。この記録処理の詳細は後述する。記録処理終了後、デジタルカメラ１Ａは再び状態ＳＴ２０２へ戻って新たな単独撮影の待機状態となる。
【００７９】
＜連続撮影モード＞
図８は、関連付けられた複数回の撮影である相互関連撮影の一例となる連続撮影を行う「連続撮影モード」におけるデジタルカメラ１Ａの動作状態の遷移の詳細を示す状態遷移図である。
【００８０】
電源投入や動作モードの切り替えによって動作モードが「連続撮影モード」に設定されると、デジタルカメラ１Ａは状態ＳＴ３０１へ移行する。
【００８１】
設定初期化を行う状態ＳＴ３０１では状態ＳＴ２０１（図７）と同様の処理が行われ、デジタルカメラ１Ａは状態ＳＴ３０２へ移行する。
【００８２】
状態ＳＴ３０２は、「連続撮影モード」の撮影待機状態であり、液晶モニタ９にはライブビューが表示される。状態ＳＴ３０２においてモード切り替えボタン１０が押下されると、デジタルカメラ１Ａは「動画撮影モード」に設定される。さらに、状態ＳＴ３０２においてシャッタボタン７がＳ１状態となったことが検出されると、デジタルカメラ１Ａは状態ＳＴ３０３へ移行する。
【００８３】
状態ＳＴ３０３では、ＡＦ，ＡＥおよびＡＷＢ等の撮影準備動作が実行される。これらの処理が完了すると、デジタルカメラ１Ａは、状態ＳＴ３０４へ移行して本撮影動作への移行の待機状態となる。
【００８４】
状態ＳＴ３０４においてシャッタボタン７がＳ２状態となったことが検出されると、デジタルカメラ１Ａは、状態ＳＴ３０５へ移行して本撮影動作が実行される。すなわち、ＣＣＤ３１において露光が行われて１コマの画像データが生成されるとともに、当該画像データが、画像メモリ４１ａに一時的に格納された後に、画像処理部４３および圧縮／伸張部４４へ順次与えられて画像処理および圧縮処理が開始される。
【００８５】
状態ＳＴ３０５においてシャッタボタン７のＳ２状態が解除された場合、デジタルカメラ１Ａは状態ＳＴ３０８へ移行する。一方、状態ＳＴ３０５においてシャッタボタン７のＳ２状態が継続されている場合、デジタルカメラ１Ａは、画像処理部４３および圧縮／伸張部４４による画像処理および圧縮処理を継続しつつ、状態ＳＴ３０６へ移行する。
【００８６】
状態ＳＴ３０６では、画像メモリ４１ａの空容量が検出される。そして、１コマ分の画像データを一時記憶する空容量が存在する場合、デジタルカメラ１Ａは状態ＳＴ３０５へ戻り、次のコマの撮影が開始される。一方、画像メモリ４１ａに１コマ分の画像データを一時記憶する空容量がない場合は、デジタルカメラ１Ａは状態ＳＴ３０７へ移行する。
【００８７】
状態ＳＴ３０７では、画像処理および圧縮処理が継続される。状態ＳＴ３０７においてシャッタボタン７のＳ２状態が継続されている場合、デジタルカメラ１Ａは画像処理および圧縮処理を継続しつつ状態ＳＴ３０６へ移行し、シャッタボタン７のＳ２状態が解除されるとデジタルカメラ１Ａは画像処理および圧縮処理を継続しつつ状態ＳＴ３０８へ移行する。
【００８８】
なお、状態ＳＴ３０５〜ＳＴ３０８における画像処理、圧縮処理および記録処理は並列的に実行される。
【００８９】
状態ＳＴ３０８では、画像データを画像ファイルとしてメモリカード５へ記録する記録処理が実行される。この記録処理の詳細は後述する。記録処理終了後、デジタルカメラ１Ａは再び状態ＳＴ３０２へ戻って新たな連続撮影の待機状態となる。
【００９０】
上述の状態遷移により、「連続撮影モード」では複数回の撮影が繰り返されて複数コマの画像ファイルが生成される。この撮影の繰り返しは、シャッタボタン７がＳ２状態を維持している限り継続される。しかし、シャッタボタン７がＳ２状態を維持している場合でもバッファメモリとして機能する画像メモリ４１ａの空容量がなくなると撮影は一時的に中断される。デジタルカメラ１Ａにおいては、この中断中にも画像処理および圧縮処理が継続されているので、処理の進行に伴い画像メモリ４１ａは空容量を回復する。そして、画像メモリ４１ａに１コマ分の画像データを格納する空容量が回復すると撮影が再開される。
【００９１】
＜動画撮影モード＞
図９は、「動画撮影モード」におけるデジタルカメラ１Ａの動作状態の遷移の詳細を示す状態遷移図である。
【００９２】
電源投入や動作モードの切り替えによって動作モードが「動画撮影モード」に設定されると、デジタルカメラ１Ａは状態ＳＴ４０１へ移行する。  状態ＳＴ４０１は、「動画撮影モード」の撮影待機状態であり、液晶モニタ９にはライブビューが表示される。状態ＳＴ４０１においてモード切り替えボタン１０が押下されると、デジタルカメラ１Ａは「再生モード」に設定される。さらに、状態ＳＴ４０１においてシャッタボタン７がＳ１状態となったことが検出されると、デジタルカメラ１Ａは状態ＳＴ４０２へ移行する。
【００９３】
状態ＳＴ４０２では、ＡＦ，ＡＥおよびＡＷＢ等の撮影準備動作が実行される。これらの処理が完了すると、デジタルカメラ１Ａは、状態ＳＴ４０３へ移行して本撮影動作への移行の待機状態となる。
【００９４】
状態ＳＴ４０３においてシャッタボタン７がＳ２状態となったことが検出されると、デジタルカメラ１Ａは、状態ＳＴ４０４へ移行して本撮影動作が実行される。すなわち、ＣＣＤ３１において露光が行われて１フレームの画像データが生成されるとともに、当該画像データが、画像メモリ４１ａに一時的に格納された後に、画像処理部４３および圧縮／伸張部４４へ順次与えられて画像処理および圧縮処理が行われる。
【００９５】
状態ＳＴ４０４においてシャッタボタン７が再押下されたことが検出されると、デジタルカメラ１Ａは状態ＳＴ４０５へ移行する。状態ＳＴ４０５では、動画の１フレーム分の画像データがメモリカード５に記録される。その後、デジタルカメラ１Ａは状態ＳＴ４０８へ移行する。
【００９６】
一方、状態ＳＴ４０４においてシャッタボタン７が再押下されたことが検出されない場合、デジタルカメラ１Ａは状態ＳＴ４０６へ移行して、動画の１フレーム分の画像データがメモリカード５に記録される。その後、デジタルカメラ１Ａは状態ＳＴ４０７へ移行する。
【００９７】
状態ＳＴ４０７では、メモリカード５の空容量が検出される。空容量が存在する場合、デジタルカメラ１Ａは状態ＳＴ４０４へ戻り、次のフレームの撮影が開始される。空容量が存在しない場合は、デジタルカメラ１Ａは状態ＳＴ４０８へ移行する。
【００９８】
状態ＳＴ４０８では、状態ＳＴ４０５およびＳＴ４０６で記録された複数のフレームの画像データにヘッダ等の記録が追加されて、１つのファイルとしてメモリカード５への記録処理が行われる。すなわち、状態ＳＴ４０８では、モーションＪＰＥＧに例示される方法により記録処理が行われる。当該記録後に、デジタルカメラ１Ａは状態ＳＴ４０１へ戻り、新たな動画撮影の待機状態となる。
【００９９】
上述の状態遷移により、シャッタボタン７がＳ２状態になると動画の撮影が開始され、再びシャッタボタン７が押下されると動画の撮影が終了する。この動画の撮影はメモリカード５に空容量が不足した場合は、シャッタボタン７が再押下されることを待つことなく終了される。
【０１００】
＜再生モード＞
図１０は、「再生モード」におけるデジタルカメラ１Ａの動作状態の遷移の詳細を示す状態遷移図である。
【０１０１】
電源投入や動作モードの切り替えによって動作モードが「再生モード」に設定されると、デジタルカメラ１Ａは状態ＳＴ５０１へ移行する。
【０１０２】
状態ＳＴ５０１では、先述したように、液晶モニタ９に画像が再生表示されるが、「再生モード」に設定された直後においては、再生表示される画像は直近に撮影された画像となる。すなわち、「再生モード」に設定された直後においては、最も大きい連番が与えられた記録フォルダ（以下では、「最新記録フォルダ」とも称する）に記録されている最も大きい連番が与えられた画像ファイル（以下では、「最新画像ファイル」とも称する）に係る画像が液晶モニタ９に再生表示される。換言すれば、状態ＳＴ５０１におけるデフォルトの再生表示画像は直近に撮影された最新画像となっている。
【０１０３】
状態ＳＴ５０１において、左キー１２Ｌまたは右キー１２Ｒが押下されると、デジタルカメラ１Ａは状態ＳＴ５０２へ移行する。
【０１０４】
状態ＳＴ５０２では、状態ＳＴ５０１で表示されていた画像のひとつ前のコマ番号またはひとつ後のコマ番号の画像ファイルがメモリカード５から読み出される。この時、状態ＳＴ５０１において押下されたキーが左キー１２Ｌの場合はひとつ前のコマ番号の画像ファイルが読み出され、右キー１２Ｒの場合はひとつ後のコマ番号の画像ファイルが読み出される。この読み出しが完了すると、デジタルカメラ１Ａは状態ＳＴ５０１へ戻って読み出した画像ファイルに係る画像が液晶モニタ９に再生表示される。これにより、ファイル構成およびフォルダ構成が図２４に例示されるものである場合、コマ番号0248の画像ファイル「Pict0248.jpg」が液晶モニタ９に再生表示されている状態で右キー１２Ｒが押下されると、液晶モニタ９に再生表示される画像は、コマ番号0249の画像ファイル「Pict0249.jpg」に切り替わる。または、画像ファイル「Pict0249.jpg」が液晶モニタ９に再生表示されている状態で左キー１２Ｌが押下されると、液晶モニタ９に再生表示される画像は、画像ファイル「Pict0248.jpg」に切り替わる。
【０１０５】
なお、再生表示に当たって、表示対象となる画像ファイルがメモリカード５に格納されていない場合は、液晶モニタ９に所定の警告表示が行われる。
【０１０６】
さらに、状態ＳＴ５０１においてメニューボタン１１ａが押下されると、デジタルカメラ１Ａは状態ＳＴ５０３へ移行して、液晶モニタ９には再生メニューが表示される。状態ＳＴ５０３においてメニューボタン１１ａの押下等により再生メニューが終了すると、デジタルカメラ１Ａは状態ＳＴ５０１へ戻る。
【０１０７】
上述の状態遷移により、デジタルカメラ１Ａでは、左キー１２Ｌまたは右キー１２Ｒにより、再生画像をコマ番号順にコマ送り可能である。このコマ送りにおいては、記録フォルダ内のみならず、複数の記録フォルダ間の移行も許される。例えば、ファイル構成およびフォルダ構成が図２４に例示されるものである場合、記録フォルダ「100MLT09」に格納された画像ファイル「Pict0271.jpg」が液晶モニタ９に再生表示されている状態で右キー１２Ｒが押下されると、液晶モニタ９に再生表示される画像は、別の記録フォルダ「100MLT10」に格納された画像ファイル「Pict0272.jpg」に切り替わる。
【０１０８】
＜設定初期化＞
図１１は、状態ＳＴ２０１（図７）およびＳＴ３０１（図８）の設定初期化の動作フローを示すフローチャートである。
【０１０９】
動作フローの最初のステップＳ１０１では、ＲＯＭ４２から設定情報４２ｂが読み出され、表示方式および換算単位Ｍ等の設定が確認される。
【０１１０】
ステップＳ１０１に続くステップＳ１０２では、表示方式による分岐処理が行われる。表示方式が「フイルム本数換算」である場合、動作フローはステップＳ１０３へ移行し、「実サイズ」である場合、設定初期化の動作フローは終了する。
【０１１１】
ステップＳ１０３では、上限画像ファイル数Ｎｍａｘがフイルム本数換算の換算単位Ｍと同じ値に設定され、設定初期化の動作フローが終了する。ステップＳ１０３により、上限画像フイルム数Ｎｍａｘと換算単位Ｍとが同期して設定されることになる。換言すれば、換算単位Ｍが変更されると、併せて上限画像フイルム数Ｎｍａｘも変更される。
【０１１２】
以上の動作フローにより、フイルム換算表示を行う場合は、上限画像ファイル数Ｎｍａｘが換算単位Ｍと同じ値に設定される。これにより、画像ファイルの管理が容易になる。
【０１１３】
＜記録処理＞
図１２は、状態ＳＴ２０７（図７）およびＳＴ３０８（図８）の記録処理の動作フローを示すフローチャートである。
【０１１４】
動作フローの最初のステップＳ２０１では、カレント記録フォルダ内の画像ファイル数が上限画像ファイル数Ｎｍａｘに達しているかどうかによって分岐処理が行われる。達している場合、動作フローはステップＳ２０２へ移行する。達していない場合、カレント記録フォルダを維持したまま、動作フローは記録を行うステップＳ２０４へ移行する。すなわち、動作モードが「１コマ撮影モード」（ここでは、「単独撮影モード」に設定されているとする）および「連続撮影モード」のいずれであっても、カレント記録フォルダ内の画像ファイル数が上限画像ファイル数Ｎｍａｘに達していない場合、カレント記録フォルダは変更されない。
【０１１５】
ステップＳ２０２では、動作モードによる分岐処理が行われる。動作モードが「連続撮影モード」である場合、動作フローはステップＳ２０３へ移行する。動作モードが「１コマ撮影モード」である場合、動作フローはステップＳ２０５へ移行する。
【０１１６】
ステップＳ２０３では、記録処理対象の画像データが連続撮影の最初の撮影に係る画像データであるかどうかによって分岐処理が行われる。最初の撮影でない場合、カレント記録フォルダを維持したまま動作フローはステップＳ２０４へ移行する。最初の撮影である場合、動作フローはステップＳ２０５へ移行する。ステップＳ２０３により、連続撮影の途中でカレント記録フォルダが変更されることを防止可能となる。
【０１１７】
ステップ２０５では、記録フォルダが新規作成され、続くステップＳ２０６でカレント記録フォルダが当該新規記録フォルダへ変更される。例えば、ファイル構成およびフォルダ構成が図２４に例示されるものである場合、カレント記録フォルダが記録フォルダ「100MLT10」である時にステップＳ２０５が実行されると、新たな記録フォルダ「100MLT11」（不図示）が記録フォルダ「100MLT10」と同階層に作成され、ステップＳ２０６で当該記録フォルダ「100MLT11」が新たなカレント記録フォルダとなる。しかる後に動作フローはステップＳ２０４へ移行する。
【０１１８】
ステップＳ２０４では、カレント記録フォルダに対して画像データが画像ファイルとして書き込まれ、記録処理の動作フローが終了する。このとき、画像ファイルのファイル名は、先述した規則に基づいて定められる。
【０１１９】
この動作フローによれば、「１コマ撮影モード」では、画像ファイルの記録により（ステップＳ２０４）、カレント記録フォルダ内の画像ファイル数が上限画像ファイル数Ｎｍａｘに達すると、その後に初めて実行される撮影指示（に伴う記録処理）に応答して、カレント記録フォルダが新規記録フォルダへ変更される。これにより、「１コマ撮影モード」では、ひとつの記録フォルダに記録される画像ファイル数が上限画像ファイル数Ｎｍａｘ以下となるので、記録後の画像ファイルの検索が容易になる。また、記録フォルダの新規作成やカレント記録フォルダの変更は自動的に行われるので、操作者が記録フォルダの作成操作をマニュアルで行う必要はなく、撮影時の操作性が損なわれることはない。一方、「連続撮影モード」では、カレント記録フォルダ内の画像ファイル数が上限画像ファイル数Ｎｍａｘに達しても、連続撮影における最初の撮影に係る画像ファイルの記録から最後の撮影に係る画像ファイルの記録まで、カレント記録フォルダが一定に維持される。これにより、連続撮影に係る画像ファイルはひとつの記録フォルダに格納されるので、画像ファイルの検索が容易になる。この記録フォルダは、最初の撮影時に上限画像ファイル数Ｎｍａｘに達していない限りは、直前の撮影におけるカレント記録フォルダとなる。また、このような動作フローにより、連続撮影が途中で中断されることはない。
【０１２０】
加えて、このような動作フローにより、動作モードが他の動作モードから「１コマ撮影モード」に変更された時点で、カレント記録フォルダ内の画像ファイル数が上限画像ファイル数Ｎｍａｘに達している場合には、カレント記録フォルダを新規記録フォルダに変更する処理が行われる。
【０１２１】
＜撮影メニュー＞
図１３は、撮影メニューにおけるデジタルカメラ１Ａの動作状態の遷移の詳細を説明する状態遷移図である。
【０１２２】
撮影メニューが呼び出された場合（図７の状態ＳＴ２０３）のデジタルカメラ１Ａの初期状態は状態ＳＴ６０１である。
【０１２３】
状態ＳＴ６０１の撮影メニュー画面では、「画像サイズ選択」，「画質選択」，「多重合成撮影」，「ブラケット撮影」および「表示方式設定」の選択肢が液晶モニタ９に表示される。操作者は、上キー１２Ｕおよび下キー１２Ｄを用いて、これらの選択肢の中から所望の選択肢を選択して実行キー１２Ｅを押下する（以下ではこの操作を「選択実行」とも称する）ことにより、当該選択肢に対応する動作をデジタルカメラ１Ａに実行させる。
【０１２４】
「画像サイズ選択」が選択実行された場合、デジタルカメラ１Ａは状態ＳＴ６０２へ移行して、画像サイズ選択画面が液晶モニタ９に表示される。画像サイズ選択画面では、「2560×1920」，「1600×1200」，「1280×960」および「640×480」の４種類の選択肢が選択可能である。「2560×1920」，「1600×1200」，「1280×960」および「640×480」の選択肢は、それぞれ、横２５６０画素×縦１９２０画素、横１６００画素×縦１２００画素、横１２８０画素×縦９６０画素および横６４０画素×縦４８０画素の画像サイズに対応しており、画像サイズ選択画面で選択された画像サイズが画像処理部４３におけるリサイズ処理後の画像データの画像サイズとなる。状態ＳＴ６０２においてメニューボタン１１ａが押下されると、選択された画像サイズが設定情報４２ｂとしてＲＯＭ４２に記憶され、デジタルカメラ１Ａは状態ＳＴ６０１へ戻る。
【０１２５】
「画質選択」が選択実行された場合、デジタルカメラ１Ａは状態ＳＴ６０３へ移行して、画質選択画面が液晶モニタ９に表示される。画質選択画面では、「ファイン」，「スタンダード」および「エコノミー」の３種類の選択肢が選択可能である。画質選択画面で選択された画質に対応する圧縮率が圧縮／伸張部４４における圧縮率となる。状態ＳＴ６０３においてメニューボタン１１ａが押下されると、選択された画質に対応する圧縮率が設定情報４２ｂとしてＲＯＭ４２に記録され、デジタルカメラ１Ａは状態ＳＴ６０１へ戻る。
【０１２６】
デジタルカメラ１Ａでは、画像データのファイルサイズの設定は画像サイズおよび画質の設定に依存しているので、画像サイズおよび画質の設定を変更するためのインターフェース画面（画像サイズ選択画面および画質選択画面）は、デジタルカメラ１Ａにおけるファイルサイズ設定の変更手段の主要部として機能している。
【０１２７】
「多重合成撮影」または「ブラケット撮影」が選択実行された場合、デジタルカメラ１Ａは「多重合成撮影モード」または「ブラケット撮影モード」に設定される。
【０１２８】
「表示方式設定」が選択実行された場合、デジタルカメラ１Ａは状態ＳＴ６０４へ移行して、表示方式設定画面が液晶モニタ９に表示される。表示方式設定画面では、「フイルム本数換算」および「実サイズ」の２種類の選択肢が選択可能である。
【０１２９】
状態ＳＴ６０４において「フイルム本数換算」が選択実行されると、デジタルカメラ１Ａは状態ＳＴ６０５へ移行し、総撮影枚数指定画面が液晶モニタ９に呼び出される。総撮影枚数指定画面では、「２４コマ／１本」および「３６コマ／１本」の２種類の選択肢が選択可能である（上キー１２Ｕおよび下キー１２Ｄ使用）。なお、「２４コマ／１本」および「３６コマ／１本」は、それぞれ、換算単位Ｍを２４および３６に設定することに対応している。デジタルカメラ１Ａにおいては、換算単位Ｍは上限画像ファイル数Ｎｍａｘでもある（換算単位Ｍと上限画像ファイル数Ｎｍａｘとが同期して変更される）ので、総撮影枚数指定画面は換算単位Ｍおよび上限画像ファイル数Ｎｍａｘを操作者に設定させるための手段として機能するインターフェース画面である。このように上限画像ファイル数Ｎｍａｘを操作者が設定可能とすることにより、ひとつのフォルダに記録される画像ファイル数の上限をユーザの環境に適した数にすることができるので、画像ファイルの検索および管理が容易になる。
【０１３０】
さらに、総撮影枚数指定画面には、「空容量表示」および「使用量表示」の２種類の選択肢が選択可能である（左キー１２Ｌおよび右キー１２Ｒ使用）。なお、「空容量表示」および「使用量表示」は、それぞれ、空容量および使用量でメモリカード５の使用状態を特定することを意味している。状態ＳＴ６０５において実行キー１２Ｅが押下されると、表示方式、換算単位Ｍ（上限画像ファイル数Ｎｍａｘも同期して設定される）および使用状態の特定方法が設定情報４２ｂとしてＲＯＭ４２に記録され、撮影メニューが終了する。
【０１３１】
一方、状態ＳＴ６０４において「実サイズ」が選択実行されると、デジタルカメラ１Ａは状態ＳＴ６０６へ移行し、表示設定画面に「空容量表示」および「使用量表示」の２種類の選択肢が追加される。状態ＳＴ６０６においては、左キー１２Ｌおよび右キー１２Ｒを用いて、これらの２種類の選択肢のいずれかを選択可能となっている。状態ＳＴ６０６において、実行キー１２Ｅが押下されると、表示方式、換算単位Ｍ（上限画像ファイル数Ｎｍａｘも同期して設定される）および使用状態の特定方法が設定情報４２ｂとしてＲＯＭ４２に記録され、メニューが終了する。
【０１３２】
＜再生メニュー＞
図１４は、再生メニューにおけるデジタルカメラ１Ａの動作状態の遷移の詳細を説明する状態遷移図である。
【０１３３】
再生メニューが呼び出された場合（図１０の状態ＳＴ５０３）のデジタルカメラ１Ａの初期状態は状態ＳＴ７０１である。
【０１３４】
状態ＳＴ７０１においては、「削除」，「フォーマット」，「表示方式設定」および「プリント指定」の４種類の選択肢が液晶モニタ９に表示されており、選択実行可能である。
【０１３５】
「削除」が選択実行された場合、デジタルカメラ１Ａは状態ＳＴ７０２へ移行して、再生表示されている画像に係る画像ファイルをメモリカード５の記憶領域から削除する。削除処理完了後、デジタルカメラ１Ａは状態ＳＴ７０１へ戻る。
【０１３６】
「フォーマット」が選択実行された場合、デジタルカメラ１Ａは状態ＳＴ７０３へ移行して、メモリカード５のフォーマット処理および記録フォルダの新規作成処理を行う。これらの処理完了後、デジタルカメラ１Ａは状態ＳＴ７０１へ戻る。
【０１３７】
「表示方式設定」が選択実行された場合、デジタルカメラ１Ａは状態ＳＴ６０４（図１３）へ移行して、撮影メニューと同様の表示方式設定が行われる。
【０１３８】
「プリント指定」が選択実行された場合、デジタルカメラ１Ａは状態ＳＴ７０４へ移行して、プリント指定画面が液晶モニタ９に表示される。プリント指定画面では、「この画像を指定」，「一括指定」および「この画像を解除」の３種類のプリント指定の選択肢が選択可能である。さらに、プリント指定画面には、「インデックスプリントする」および「インデックスプリントしない」の２種類のインデックスプリント指定の選択肢が選択可能である。また、プリント指定対象の画像ファイルは、左キー１２Ｌおよび右キー１２Ｒによってコマ送り可能である。
【０１３９】
「この画像を指定」，「一括指定」および「この画像を解除」の選択肢は、それぞれ、再生表示されている画像のプリント指定、全画像のプリント指定、および再生表示されている画像のプリント指定解除を意味している。また、「インデックスプリントする」および「インデックスプリントしない」の選択肢は、それぞれ、インデックスプリントの実行および非実行に対応している。
【０１４０】
状態ＳＴ７０４において実行キー１２Ｅが押下されると、デジタルカメラ１Ａは、状態ＳＴ７０５へ移行してプリント指定ファイルが更新され、しかる後に状態ＳＴ７０１へ戻る。
【０１４１】
＜メモリカード装着時のフォルダ処理＞
図１５は、メモリカード５の装着時のフォルダ処理を示すフローチャートである。
【０１４２】
ファイル管理部４５がメモリカード５の装着を検出してフォルダ処理が開始されると、動作フローは最初のステップＳ７０１へ移行する。ステップＳ７０１では、記録フォルダの有無によって分岐処理が行われる。記録フォルダが存在する場合、動作フローはステップＳ７０２へ移行する。存在しない場合、動作フローはＳ７０４ステップへ移行する。
【０１４３】
ステップＳ７０２では、最新記録フォルダが特定され、動作フローはステップＳ７０３へ移行する。
【０１４４】
ステップＳ７０３では、最新記録フォルダ内の画像ファイル数が上限画像ファイル数Ｎｍａｘに達しているかどうかによって分岐処理が行われる。達している場合、動作フローはステップＳ７０４へ移行する。達していない場合、最新記録フォルダがそのままカレント記録フォルダとなり、フォルダ処理の動作フローが終了する。
【０１４５】
ステップＳ７０４では、記録フォルダが新規作成され、当該新規記録フォルダがカレント記録フォルダに設定された後、フォルダ処理の動作フローが終了する。
【０１４６】
このようなフォルダ処理により、メモリカード５の装着時に画像ファイルを記録可能な記録フォルダが存在する場合は当該記録フォルダがカレント記録フォルダとなる。一方、存在しない場合は新規作成された記録フォルダがカレント記録フォルダとなる。
【０１４７】
＜使用状態表示＞
デジタルカメラ１Ａでは、ライブビュー表示にメモリカード５の使用状態、すなわちメモリカード５の使用量（使用済記憶容量）または空容量（空記憶容量＝未使用記憶容量）が重畳表示される。この使用状態表示ＵＳＤ１の一例を図１６に示す。
【０１４８】
図１６に示すように、液晶モニタ９には、使用状態のフイルム本数換算値ＣＶ１が表示されている。図１６では、フイルム本数換算値ＣＶ１として「２本」が表示されている。
【０１４９】
続いて、使用状態表示ＵＳＤ１におけるデジタルカメラ１Ａの動作フローを図１７のフローチャートを参照しながら説明する。
【０１５０】
動作フローの最初のステップＳ４０１では、ファイル管理部４５がメモリカード５にアクセスしてメモリカードサイズ（全記憶容量）Ｍ１が検出され、続くステップＳ４０２では、メモリカード５の使用量Ｍ２が検出される。しかる後に、動作フローはステップＳ４０３へ移行する。
【０１５１】
ステップＳ４０３では、設定情報４２ｂおよびファイルサイズテーブル４２ｃが参照されて、設定されている画像サイズおよび画質から画像ファイルのファイルサイズＦＳが特定される。
【０１５２】
ステップＳ４０３に続くステップＳ４０４では、使用状態の特定方法が使用量および空容量のいずれかによって分岐処理が行われる。空容量である場合、動作フローはステップＳ４０５へ移行し、使用量である場合、動作フローはステップＳ４０７へ移行する。
【０１５３】
ステップＳ４０５では、メモリカードサイズＭ１および使用量Ｍ２から空容量Ｍ３が算出され（Ｍ３＝Ｍ１−Ｍ２）、動作フローはステップＳ４０６へ移行する。
【０１５４】
ステップＳ４０６では、空容量Ｍ３をファイルサイズＦＳで除した商（整数；余りは切り捨て）が使用状態値として算出され、ステップＳ４０７では、使用量Ｍ２をファイルサイズＦＳで除した商（整数；余りは切り捨て）が使用状態値として算出される。ステップＳ４０６およびＳ４０７は、使用状態を枚数（画像ファイル数）換算で特定するステップであり、この演算処理は全体制御部４０のマイクロコンピュータで実行される。
【０１５５】
ステップＳ４０６およびＳ４０７に続くステップＳ４０８では、表示方式による分岐処理が行われる。表示方式が「フイルム本数換算」である場合、動作フローはステップＳ４０９へ移行し、表示方式が「実サイズ」である場合、動作フローはステップＳ４１１へ移行する。
【０１５６】
ステップＳ４０９では、使用状態値を換算単位Ｍで除した商（整数；余りは切り捨て）がフイルム本数換算値として算出され、続くステップＳ４１０では、当該フイルム本数換算値が液晶モニタ９に表示される。しかる後に使用状態表示の動作フローが終了する。なお、フイルム本数に換算されない使用状態値そのものをフイルム本数換算値に加えて表示してもよい。
【０１５７】
ステップＳ４１１では、使用状態値がフイルム本数に換算されることなく、そのまま液晶モニタ９に表示される。しかる後に使用状態表示の動作フローは終了する。
【０１５８】
なお、上述の使用状態表示の動作フローは、バックグラウンドで常時実行されるので、フイルム本数換算の基礎となる、換算単位Ｍや使用量Ｍ２等が変化すると、略同時にフイルム本数換算値が更新され、液晶モニタ９に表示されるフイルム本数換算値も更新される。したがって、画像サイズおよび画質の変更によりファイルサイズの設定が変更されると、フイルム本数換算値が更新され、液晶モニタ９に表示されるフイルム本数換算値の情報の表示も更新される。また、撮影による画像ファイルの記録、画像ファイルの削除およびフォーマット等のデータ操作が行われると、使用状態値およびフイルム本数換算値が更新され、液晶モニタ９に表示されるフイルム本数換算値の情報の表示も更新される。
【０１５９】
このような動作フローにより、表示方式が「フイルム本数換算表示」に設定されている場合、メモリカード５の空容量または使用量がフイルム本数換算値に換算されて、その情報が液晶モニタ９に表示される。これにより、銀塩カメラの取り扱いには習熟しているがデジタルカメラの取り扱いには習熟していないユーザもメモリカード５の使用状態を容易かつ直感的に認識可能となる。また、上述の説明では、フイルム本数換算値の情報としてフイルム本数換算値そのものが数字で表示される例を示したが、表示方法はこれに限定されない。例えば、フイルム本数換算値の数に相当する数の所定のアイコン（例えば、フイルムを連想させるアイコン）を表示してもよい。また、使用状態値やフイルム本数換算値を算出する場合の除算においては余りを切り捨ている処理を行ったが、余りの取り扱い方法はこれに限定されず、切り上げ処理や四捨五入処理等を行ってもよい。また、小数点以下の桁を適宜採用してもよい。
【０１６０】
＜ブラケット撮影および多重合成撮影＞
先述したように、撮影メニューにおいて「ブラケット撮影」または「多重合成撮影」が選択実行されると、デジタルカメラ１Ａは、それぞれ、「ブラケット撮影モード」または「多重合成撮影モード」に設定される。
【０１６１】
以下では、この「ブラケット撮影モード」および「多重合成撮影モード」について説明する。
【０１６２】
○ブラケット撮影モード；
「ブラケット撮影モード」では、シャッタスピードをずらした３回の撮影が行われる。より具体的には、「ブラケット撮影モード」では、露出制御部４６が決定した基準シャッタスピード（適正露出が得られるシャッタスピード）での撮影に加えて、基準シャッタスピードより高速なシャッタスピード、および、基準シャッタスピードより低速なシャッタスピードでの撮影が行われる。
【０１６３】
図１８は、「ブラケット撮影モード」におけるデジタルカメラ１Ａの動作状態の遷移の詳細を示す状態遷移図である。
【０１６４】
撮影メニューにおいて「ブラケット撮影」を選択実行すると、デジタルカメラ１Ａは状態ＳＴ８０１へ移行する。状態ＳＴ８０１は、「ブラケット撮影モード」の撮影待機状態であり、液晶モニタ９にはライブビューが表示される。状態ＳＴ８０１においてメニューボタン１１ａが押下されると、デジタルカメラ１Ａは状態ＳＴ８１０へ移行して、液晶モニタ９には撮影メニューが表示される。状態ＳＴ８０１においてモード切り替えボタン１０が押下されると、デジタルカメラ１Ａは「連続撮影モード」に設定される。また、状態ＳＴ８０１においてシャッタボタン７がＳ１状態となったことが検出されると、デジタルカメラ１Ａは状態ＳＴ８０２へ移行する。
【０１６５】
状態ＳＴ８０２では、ＡＦ，ＡＥおよびＡＷＢ等の撮影準備動作が実行される。これらの処理が完了すると、デジタルカメラ１Ａは状態ＳＴ８０３へ移行して本撮影動作への移行の待機状態となる。
【０１６６】
状態ＳＴ８０３においてシャッタボタン７がＳ２状態となったことが検出されると、デジタルカメラ１Ａは状態ＳＴ８０４へ移行する。
【０１６７】
状態ＳＴ８０４〜ＳＴ８０６では、シャッタスピードをずらしながら３回の撮影が行われる。各撮影では、ＣＣＤ３１において露光が行われて画像データが生成され、当該画像データが画像メモリ４１ａに一時的に格納される。状態ＳＴ８０４、ＳＴ８０５およびＳＴ８０６におけるシャッタスピードの変化は、シャッタスピードをＡＰＥＸ値換算で基準シャッタスピードから−１（状態ＳＴ８０４），±０（状態ＳＴ８０５），＋１（状態ＳＴ８０６）だけずらすことにより実現される。
【０１６８】
状態ＳＴ８０４〜ＳＴ８０６における撮影が順次実行された後、デジタルカメラ１Ａは状態ＳＴ８０７へ移行する。
【０１６９】
状態ＳＴ８０７は、ブラケット撮影によって取得された３枚の画像を液晶モニタ９に表示するアフタービュー表示の状態である。図１９に例示するように、アフタービュー画面ＡＶＳには３枚の画像ＩＭＧ１〜ＩＭＧ３が横方向に配列されており、３枚の画像の中から１枚の画像をカーソルＫＲで選択可能となっている（図１９では、画像ＩＭＧ２が選択された状態が示されている）。なお、アフタービュー表示において削除ボタンとして機能する液晶モニタボタン１１ｂを押下すると、押下時にカーソルＫＲで選択されていた画像に係る画像データがメモリカード５への記録対象から外される。なお、アフタービュー画面ＡＶＳには、液晶モニタボタン１１ｂが削除ボタンとして機能することを操作者に認識させるための文字列Ｍ１が表示される。状態ＳＴ８０７において、アフタービュー表示開始から１０秒が経過すると、デジタルカメラ１Ａはアフタービュー表示を終了して状態ＳＴ８０８へ移行する。
【０１７０】
状態ＳＴ８０８では、状態ＳＴ８０７において記録対象から外された画像データを削除する削除処理が実行され、続く状態ＳＴ８０９では、削除処理されなかった画像データをメモリカード５へ記録するブラケット撮影記録処理が実行される。しかる後にデジタルカメラ１Ａは状態ＳＴ８０１へ戻る。
【０１７１】
○ブラケット撮影記録処理；
図２０は、状態ＳＴ８０９（図１８）のブラケット撮影記録処理の動作フローを示すフローチャートである。
【０１７２】
動作フローの最初のステップＳ９０１では、カレント記録フォルダ内の画像ファイル数が上限画像ファイル数Ｎｍａｘに達しているかどうかによって分岐処理が行われる。達している場合、動作フローはステップＳ９０２へ移行する。達していない場合、カレント記録フォルダを維持したまま、動作フローは記録を行うステップＳ９０４へ移行する。
【０１７３】
ステップＳ９０２では記録フォルダが新規作成され、続くステップＳ９０３でカレント記録フォルダが当該新規記録フォルダへ変更される。しかる後に動作フローはステップＳ９０４へ移行する。
【０１７４】
ステップＳ９０４では、画像メモリ４１ａに格納されたブラケット撮影に係る画像データがカレント記録フォルダに対して画像ファイルと記録され、ブラケット撮影記録処理の動作フローが終了する。
【０１７５】
この動作フローによれば、カレント記録フォルダ内の画像ファイル数が上限画像ファイル数Ｎｍａｘに達しても、ブラケット撮影における最初の撮影に係る画像ファイルの記録から最後の撮影に係る画像ファイルの記録までカレント記録フォルダが一定に維持される。これにより、関連付けられた画像ファイルがひとつの記録フォルダに格納されるので、画像ファイルの検索が容易になる。この記録フォルダは、最初の撮影時に画像ファイル数が上限画像ファイル数Ｎｍａｘに達していない限りは、直前の撮影におけるカレント記録フォルダとなる。
【０１７６】
○多重合成撮影モード；
「多重合成撮影モード」では２回の撮影が行われ、２枚の撮影画像から１枚の合成画像が生成される。
【０１７７】
図２１は、「多重合成撮影モード」におけるデジタルカメラ１Ａの動作状態の遷移の詳細を示す状態遷移図である。
【０１７８】
撮影メニューにおいて「多重合成撮影」を選択実行すると、デジタルカメラ１Ａは状態ＳＴ９０１へ移行する。状態ＳＴ９０１は「多重合成撮影モード」の撮影待機状態であり、液晶モニタ９にはライブビューが表示される。状態ＳＴ９０１においてメニューボタン１１ａが押下されると、デジタルカメラ１Ａは状態ＳＴ９１１へ移行して、液晶モニタ９には撮影メニューが表示される。状態ＳＴ９０１においてモード切り替えボタン１０が押下されると、デジタルカメラ１Ａは「連続撮影モード」に設定される。また、状態ＳＴ９０１においてシャッタボタン７がＳ１状態となったことが検出されると、デジタルカメラ１Ａは状態ＳＴ９０２へ移行する。
【０１７９】
状態ＳＴ９０２〜ＳＴ９０４では「多重合成撮影」の１回目の撮影が行われる。
【０１８０】
状態ＳＴ９０２では、ＡＦ，ＡＥおよびＡＷＢ等の撮影準備動作が実行される。これらの処理が完了すると、デジタルカメラ１Ａは状態ＳＴ９０３へ移行して、１回目の本撮影動作への移行の待機状態となる。
【０１８１】
状態ＳＴ９０３においてシャッタボタン７がＳ２状態となったことが検出されると、デジタルカメラ１Ａは状態ＳＴ９０４へ移行して、１回目の本撮影動作が実行される。すなわち、ＣＣＤ３１において露光が行われて１コマの画像データが生成され、当該画像データが画像メモリ４１ａに一時的に格納される。しかる後に、デジタルカメラ１Ａは状態ＳＴ９０５へ移行する。
【０１８２】
状態ＳＴ９０５は「多重合成撮影モード」の撮影待機状態であり、液晶モニタ９にはライブビューが表示される。状態ＳＴ９０５においてシャッタボタン７がＳ１状態となったことが検出されると、デジタルカメラ１Ａは状態ＳＴ９０６へ移行する。
【０１８３】
状態ＳＴ９０６〜ＳＴ９０８では「多重合成撮影」の２回目の撮影が行われる。
【０１８４】
状態ＳＴ９０６では、ＡＦ，ＡＥおよびＡＷＢ等の撮影準備動作が実行される。これらの処理が完了すると、デジタルカメラ１Ａは状態ＳＴ９０７へ移行して、２回目の本撮影動作への移行の待機状態となる。
【０１８５】
状態ＳＴ９０７においてシャッタボタン７がＳ２状態となったことが検出されると、デジタルカメラ１Ａは状態ＳＴ９０８へ移行して、２回目の本撮影動作が実行される。すなわち、ＣＣＤ３１において露光が行われて１コマの画像データが生成され、当該画像データが画像メモリ４１ａに一時的に格納される。
【０１８６】
状態ＳＴ９０９では、画像メモリ４１ａに格納された２枚の撮影画像から１枚の合成画像が生成され、画像メモリ４１ａに記録される。より具体的には、２枚の画像データを構成する画素データを加算する処理が行われる。しかる後に、デジタルカメラ１Ａは状態ＳＴ９１０へ移行する。
【０１８７】
状態ＳＴ９１０では、画像メモリ４１ａに一時的に格納された画像データをメモリカード５へ記録する多重合成撮影記録処理が実行される。しかる後にデジタルカメラ１Ａは状態ＳＴ９０１へ戻る。
【０１８８】
○多重合成撮影記録処理；
図２２は、状態ＳＴ９１０（図２１）の多重合成撮影記録処理の動作フローを示すフローチャートである。
【０１８９】
動作フローの最初のステップＳ１００１では、カレント記録フォルダ内の画像ファイル数が上限画像ファイル数Ｎｍａｘに達しているかどうかによって分岐処理が行われる。達している場合、動作フローはステップＳ１００２へ移行する。達していない場合、カレント記録フォルダを維持したまま、動作フローは記録を行うステップＳ１００４へ移行する。
【０１９０】
ステップＳ１００２では記録フォルダが新規作成され、続くステップＳ１００３ではカレント記録フォルダが当該新規記録フォルダへ変更される。しかる後に動作フローはステップＳ１００４へ移行する。
【０１９１】
ステップＳ１００４では、画像メモリ４１ａに格納された多重合成撮影に係る画像データがカレント記録フォルダに対して画像ファイルとして記録され、多重合成撮影記録処理の動作フローが終了する。
【０１９２】
この動作フローによれば、カレント記録フォルダ内の画像ファイル数が上限画像ファイル数Ｎｍａｘに達しても、多重合成撮影における最初の撮影に係る画像ファイルの記録から最後の撮影に係る画像ファイルの記録までカレント記録フォルダが一定に維持される。これにより、関連付けられた画像ファイルがひとつの記録フォルダに格納されるので、画像ファイルの検索が容易になる。この記録フォルダは、最初の撮影時に画像ファイル数が上限画像ファイル数Ｎｍａｘに達していない限りは、直前の撮影におけるカレント記録フォルダとなる。
【０１９３】
＜＜第２実施形態＞＞
第２実施形態に係るデジタルカメラ１Ｂは、デジタルカメラ１Ａと類似の構成を有する。しかし、デジタルカメラ１Ｂの制御プログラム４２ａはデジタルカメラ１Ａと異なっている。これにより、デジタルカメラ１Ｂにおいては、記録処理がデジタルカメラ１Ａとは異なっている。以下では、この相違点について説明するが、デジタルカメラ１Ａとの共通の構成および動作については同一の参照番号を用いて詳細説明は省略する。
【０１９４】
＜記録処理＞
図２３は、第２実施形態に係る記録処理の動作フローを示すフローチャートである。
【０１９５】
動作フローの最初のステップＳ３０１では、記録処理対象の画像データが連続撮影の最初の撮影に係る画像データであるかどうかによって分岐処理が行われる。最初の撮影である場合、動作フローはステップＳ３０２へ移行する。最初の撮影でない場合、動作フローはステップＳ３０５へ移行する。
【０１９６】
ステップＳ３０２では、記録フォルダが新規作成され、続くステップＳ３０３でカレント記録フォルダが当該新規記録フォルダへ変更される。しかる後に動作フローはステップＳ３０４へ移行する。
【０１９７】
ステップＳ３０１〜Ｓ３０３により、「連続撮影モード」においては、カレント記録フォルダ内の画像ファイル数が上限画像ファイル数Ｎｍａｘに達しているかどうかに関わらずカレント記録フォルダは常に新規記録フォルダへ変更される。
【０１９８】
ステップＳ３０５では、カレント記録フォルダ内の画像ファイル数が上限画像ファイル数Ｎｍａｘを達しているかどうかによって分岐処理が行われる。達している場合、動作フローはステップＳ３０６へ移行する。達していない場合、動作フローはステップＳ３０４へ移行する。
【０１９９】
ステップＳ３０６では、動作モードによる分岐処理が行われる。動作モードが「１コマ撮影モード」（ここでは、「単独撮影モード」に設定されているとする）である場合、動作フローはステップＳ３０２へ移行する。動作モードが「連続撮影モード」である場合、カレント記録フォルダを維持したまま、動作フローはステップＳ３０４へ移行する。ステップＳ３０５〜Ｓ３０６により、「１コマ撮影モード」では、カレント記録フォルダ内の画像ファイル数が上限画像ファイル数Ｎｍａｘに達するとカレント記録フォルダが新規記録フォルダへ変更される。一方、「連続撮影モード」では、連続撮影の途中でカレント記録フォルダが変更されることを防止可能である。
【０２００】
ステップＳ３０４では、カレント記録フォルダに対して画像データが記録され、記録処理の動作フローが終了する。このとき、ファイル名は、先述した規則に基づいて定められる。
【０２０１】
この動作フローによれば、「１コマ撮影モード」では、画像ファイルの記録により（ステップＳ３０４）、カレント記録フォルダ内の画像ファイル数が上限画像ファイル数Ｎｍａｘに達すると、その後に初めて実行される撮影指示（に伴う記録処理）に応答して、カレント記録フォルダが新規記録フォルダへ変更される。一方、「連続撮影モード」では、カレント記録フォルダ内の画像ファイル数が上限画像ファイル数Ｎｍａｘに達しても、連続撮影における最初の撮影に係る画像ファイルの記録から最後の撮影に係る画像ファイルの記録までカレント記録フォルダが一定に維持される。なお、第２実施形態においては、第１実施形態と異なり、連続撮影におけるカレント記録フォルダは常に新規記録フォルダとなる。なお、新規記録フォルダは、必ずしも直前のカレント記録フォルダと同じフォルダ階層に作成される必要はない。例えば、直前のカレント記録フォルダ内に作成されてもよい。
【０２０２】
これにより、第１実施形態と同様に、「１コマ撮影モード」では、ひとつのフォルダに記録される画像ファイル数が上限画像ファイル数Ｎｍａｘ以下となるので、記録後の画像ファイルの検索が容易になる。また、記録フォルダの新規作成やカレント記録フォルダの変更は自動的に行われるので、操作者がフォルダの作成操作をマニュアルで行う必要はなく、撮影時の操作性が損なわれることはない。一方、「連続撮影モード」では、カレント記録フォルダ内の画像ファイル数が上限画像ファイル数Ｎｍａｘに達しても、連続撮影における最初の撮影に係る画像ファイルの記録から最後の撮影に係る画像ファイルの記録までカレント記録フォルダが一定に維持される。これにより、関連付けられた画像ファイルはひとつの記録フォルダ（新規記録フォルダ）に格納されるので、画像ファイルの検索が容易になる。
【０２０３】
なお、この動作フローにより、動作モードが他の動作モードから「１コマ撮影モード」に変更された時点でカレント記録フォルダ内の画像ファイル数が上限画像ファイル数Ｎｍａｘに達している場合には、カレント記録フォルダを新規記録フォルダに変更する処理が行われる。
【０２０４】
＜＜変形例＞＞
○画像ファイルのファイル名に含まれる連番について；
上述の実施の形態では、各記録フォルダごとに連番が付与される例を示したが、図２４のフォルダツリーＴ３に示すように、記録フォルダに関わらず通し番号の連番が付与されてもよい。これにより、ファイル名の重複がなくなるので、異なる記録フォルダに記録された画像ファイルを同一のフォルダにコピーする場合にファイル名をリネームする必要がなくなる。
【０２０５】
○ブラケット撮影について；
上述の実施形態では、「ブラケット撮影」の例としてシャッタスピードブラケット撮影を開示したが、「ブラケット撮影」はその他の撮影パラメータに関するブラケット撮影であってもよい。例えば、コントラストや彩度に関するブラケット撮影であってもよい。また、「ブラケット撮影」における撮影回数も３回に制限されず、２回または４回以上であってもよい。
【０２０６】
○ブラケット撮影記録処理；
上述の実施形態では、最初の撮影時に上限画像ファイル数Ｎｍａｘに達していない限りは、直前の撮影におけるカレント記録フォルダを変更せずにブラケット撮影記録処理を実行する例を開示したが、新規作成した記録フォルダに対してブラケット撮影記録処理を行ってもよい。このようなブラケット撮影記録処理は、図２５のフローチャートの動作フローにより実現可能である。
【０２０７】
図２５においては、動作フローの最初のステップＳ１１０１において記録フォルダが新規作成され、続くステップＳ１１０２においてカレント記録フォルダが当該新規記録フォルダへ変更される。ステップＳ１１０２に続くステップＳ１１０３では、当該新規記録フォルダに対して画像ファイルが記録される。
【０２０８】
あるいは、ブラケット撮影によりメモリカード５に記録すべき画像ファイルを記憶可能な空容量が存在するかどうかを検出して、存在する場合、カレント記録フォルダを維持し、存在しない場合、記録フォルダを新規作成して当該新規記録フォルダへカレント記録フォルダを変更するようにしてもよい。
【０２０９】
○多重合成撮影について；
上述の実施形態では、２枚の撮影画像から１枚の合成画像を生成する例を開示したが、多重合成撮影は複数の画像に係る画像データに基づいて、ひとつ以上の合成画像に係る画像データを生成するものであってもよい。例えば、パノラマ合成処理（撮影範囲の異なる画像をつなぎ合わせて新画像を生成する処理）、階調処理（露出アンダーの画像と露出オーバーの画像とから階調が拡大された新画像を生成する処理）およびブレ補正処理（複数の画像における被写体の相対的な動きを補償した後に、複数の画像を加算して新画像を生成する処理）等であってもよい。
【０２１０】
○連続撮影モードの記録処理について；
なお、連続撮影モードの記録処理は、第１実施形態および第２実施形態で説明した態様に制限されない。例えば、カレント記録フォルダに格納されている画像ファイルの数が上限画像ファイル数Ｎｍａｘに達している時点で動作モードが「連続撮影モード」に切り替えられた場合、カレント記録フォルダを新規作成した記録フォルダに変更することなく、元のカレント記録フォルダを維持して連続撮影による撮影画像ファイルを当該カレント記録フォルダに記録してもよい。より具体的には、ファイル構成およびフォルダ構成が図２４に例示されるものである場合、記録フォルダ「100MLT10」に画像ファイルが２４個格納されている時点で連続撮影が行われると、当該連続撮影によって生成された撮影画像ファイルが、引き続き記録フォルダ「100MLT10」に記録されるようにしてもよい。
【図面の簡単な説明】
【０２１１】
【図１】デジタルカメラ１Ａを正面側から見た斜視図である。
【図２】デジタルカメラ１Ａを背面側から見た斜視図である。
【図３】デジタルカメラ１Ａの内部機能を示すブロック図である。
【図４】メモリカード５のファイル構成およびフォルダ構成の一例を概念的に示す図である。
【図５】画像ファイルのデータ構造を示す図である。
【図６】デジタルカメラ１Ａの動作状態の遷移の概略を示す状態遷移図である。
【図７】「１コマ撮影モード」におけるデジタルカメラ１Ａの動作状態の遷移の詳細を示す状態遷移図である。
【図８】「連続撮影モード」におけるデジタルカメラ１Ａの動作状態の遷移の詳細を示す状態遷移図である。
【図９】「動画撮影モード」におけるデジタルカメラ１Ａの動作状態の遷移の詳細を示す状態遷移図である。
【図１０】「再生モード」におけるデジタルカメラ１Ａの動作状態の遷移の詳細を示す状態遷移図である。
【図１１】設定初期化の動作フローを示すフローチャートである。
【図１２】記録処理の動作フローを示すフローチャートである。
【図１３】撮影メニューにおけるデジタルカメラ１Ａの動作状態の遷移の詳細を示す状態遷移図である。
【図１４】再生メニューにおけるデジタルカメラ１Ａの動作状態の遷移の詳細を示す状態遷移図である。
【図１５】メモリカード５の装着時のフォルダ処理を示すフローチャートである。
【図１６】使用状態表示の一例を示す図である。
【図１７】使用状態表示におけるデジタルカメラ１Ａの動作フローを示すフローチャートである。
【図１８】「ブラケット撮影モード」におけるデジタルカメラ１Ａの動作状態の遷移の詳細を示す状態遷移図である。
【図１９】アフタービュー画面を例示する図である。
【図２０】ブラケット撮影記録処理の動作フローを示すフローチャートである。
【図２１】「多重合成撮影モード」におけるデジタルカメラ１Ａの動作状態の遷移の詳細を示す状態遷移図である。
【図２２】多重合成撮影記録処理の動作フローを示すフローチャートである。
【図２３】記録処理の動作フローを示すフローチャートである。
【図２４】メモリカード５のファイル構成およびフォルダ構成の一例を概念的に示す図である。
【図２５】ブラケット撮影記録処理の動作フローを示すフローチャートである。
【符号の説明】
【０２１２】
１Ａ，１Ｂ  デジタルカメラ
２  撮影レンズ
３  光学ファインダ
４  内蔵フラッシュ
５  メモリカード
６  電源ボタン
７  シャッタボタン
８  マイク
９  液晶モニタ
１０  モード切り替えボタン
１１，１２  ボタン群
１１ａ  メニューボタン
１１ｂ  液晶モニタボタン
１１ｃ  フラッシュモードボタン
１２Ｌ  左キー
１２Ｒ  右キー
１２Ｕ  上キー
１２Ｄ  下キー
１２Ｅ  実行キー
１３  ＤＣ入力端子
１４  アクセスＬＥＤ
１５  蓋
１６  ＵＳＢ端子
１７  ＡＶ出力端子
２００  画像ファイル
ＢＤ  筐体
Ｔ１，Ｔ３  フォルダツリー
【図１】
2005204156.tif 000003
【図２】
2005204156.tif 000004
【図３】
2005204156.tif 000005
【図４】
2005204156.tif 000006
【図５】
2005204156.tif 000007
【図６】
2005204156.tif 000008
【図７】
2005204156.tif 000009
【図８】
2005204156.tif 000010
【図９】
2005204156.tif 000011
【図１０】
2005204156.tif 000012
【図１１】
2005204156.tif 000013
【図１２】
2005204156.tif 000014
【図１３】
2005204156.tif 000015
【図１４】
2005204156.tif 000016
【図１５】
2005204156.tif 000017
【図１６】
2005204156.tif 000018
【図１７】
2005204156.tif 000019
【図１８】
2005204156.tif 000020
【図１９】
2005204156.tif 000021
【図２０】
2005204156.tif 000022
【図２１】
2005204156.tif 000023
【図２２】
2005204156.tif 000024
【図２３】
2005204156.tif 000025
【図２４】
2005204156.tif 000026
【図２５】
2005204156.tif 000027